(57)【要約】【課題】ＣＡＤデータにおける被締結部品と締結部品との間の締結関係に関する情報を、ＣＡＥにおける解析モデルを作成するために参照できるように設定しながら、その締結関係に関する情報をＣＡＤデータと対比可能に表示させる設計支援装置を提供すること。【解決手段】ＣＡＤデータにおける被締結部品と締結部品との間の締結関係に関する情報を表示する設計支援装置１００は、被締結部品を選択する被締結部品選択手段１０と、被締結部品選択手段１０が選択した被締結部品を締結する締結部品を選択する締結部品選択手段１１と、被締結部品と締結部品との間の締結関係を定義する締結フィーチャを設定する締結フィーチャ設定手段１２と、締結フィーチャ設定手段１２が設定した締結フィーチャをＣＡＤデータにおける締結関係と対比可能に表示させる締結フィーチャ表示手段１３とを備える。【選択図】図１
2009157616.tif 000002
【特許請求の範囲】
【請求項１】
ＣＡＤデータにおける被締結部品と締結部品との間の締結関係に関する情報を表示する設計支援装置であって、
被締結部品を選択する被締結部品選択手段と、
前記被締結部品選択手段が選択した被締結部品を締結する締結部品を選択する締結部品選択手段と、
前記被締結部品選択手段が選択した被締結部品と前記締結部品選択手段が選択した締結部品との間の締結関係を定義する締結フィーチャを設定する締結フィーチャ設定手段と、
前記締結フィーチャ設定手段が設定した締結フィーチャを前記ＣＡＤデータにおける締結関係と対比可能に表示させる締結フィーチャ表示手段と、
を備えることを特徴とする設計支援装置。
【請求項２】
前記締結フィーチャ表示手段は、締結部品と各被締結部品とが交差する部分に締結を表すシンボルを表示させる、
ことを特徴とする請求項１に記載の設計支援装置。
【請求項３】
前記締結フィーチャ表示手段は、前記シンボルを接続する線分を表示させる、
ことを特徴とする請求項２に記載の設計支援装置。
【請求項４】
ＣＡＤデータにおける被締結部品と締結部品との間の締結関係に関する情報を表示する設計支援方法であって、
被締結部品を選択する被締結部品選択ステップと、
前記被締結部品選択ステップで選択された被締結部品を締結する締結部品を選択する締結部品選択ステップと、
前記被締結部品選択ステップで選択された被締結部品と前記締結部品選択ステップで選択された締結部品との間の締結関係を定義する締結フィーチャを設定する締結フィーチャ設定ステップと、
前記締結フィーチャ設定手段で設定された締結フィーチャを前記ＣＡＤデータと対比可能に表示させる締結フィーチャ表示ステップと、
を備えることを特徴とする設計支援方法。
【請求項５】
請求項４に記載の設計支援方法をコンピュータに実現させるためのプログラム。
【発明の詳細な説明】
【技術分野】
【０００１】
本発明は、ＣＡＤ(Computer  Aided  Design)データにおける被締結部品と締結部品との間の締結関係に関する情報をＣＡＤデータと対比可能に表示する設計支援装置及び設計支援方法、並びに、その設計支援方法を実現させるためのプログラムに関する。
【背景技術】
【０００２】
従来、ＣＡＤデータからＣＡＥ（Computer  Aided  Engineering）で用いる解析モデルを生成する解析モデル生成装置が知られている（例えば、特許文献１参照。）。
【０００３】
この解析モデル生成装置は、ＣＡＤデータにおける幾何学的情報に基づいて、二つの部品が接しており、かつ、双方の部品に重なり合う穴が存在すると判断した場合に、それら二つの部品を被締結部品として認識し、かつ、それらの穴を締結位置として認識しながら、その締結関係を定義する締結モデルを自動的に決定して強調表示させる。
【０００４】
これにより、ユーザは、ＣＡＤデータにおける締結部分の締結関係を解析モデル上で確認することができる。
【特許文献１】特開２００１−２６５８３６号公報
【発明の開示】
【発明が解決しようとする課題】
【０００５】
しかしながら、特許文献１に記載の解析モデル生成装置は、接触する二つの部品の締結関係を定義する締結モデルを解析モデル上で強調表示させることはできるが、接触していない部品の締結関係や一つの締結部品が三つ以上の部品と関連するような締結関係を定義する締結モデルを解析モデル上で強調表示させることができない。
【０００６】
また、特許文献１に記載の解析モデル生成装置は、形状が簡略化された解析モデルの一部として締結モデルを表示させるので、その締結モデルが表す締結関係とＣＡＤデータにおける締結関係との整合性のチェックが困難となる。
【０００７】
上述の点に鑑み、本発明は、ＣＡＤデータにおける被締結部品と締結部品との間の締結関係に関する情報を、ＣＡＥにおける解析モデルを作成するために参照できるように設定しながら、その締結関係に関する情報をＣＡＤデータと対比可能に表示させる設計支援装置及び設計支援方法、並びにその設計支援方法を実現させるためのプログラムを提供することを目的とする。
【課題を解決するための手段】
【０００８】
上述の目的を達成するために、第一の発明に係る設計支援装置は、ＣＡＤデータにおける被締結部品と締結部品との間の締結関係に関する情報を表示する設計支援装置であって、被締結部品を選択する被締結部品選択手段と、前記被締結部品選択手段が選択した被締結部品を締結する締結部品を選択する締結部品選択手段と、前記被締結部品選択手段が選択した被締結部品と前記締結部品選択手段が選択した締結部品との間の締結関係を定義する締結フィーチャを設定する締結フィーチャ設定手段と、前記締結フィーチャ設定手段が設定した締結フィーチャを前記ＣＡＤデータにおける締結関係と対比可能に表示させる締結フィーチャ表示手段と、を備えることを特徴とする。
【０００９】
また、第二の発明は、第一の発明に係る設計支援装置であって、前記締結フィーチャ表示手段は、締結部品と各被締結部品とが交差する部分に締結を表すシンボルを表示させることを特徴とする。
【００１０】
また、第三の発明は、第二の発明に係る設計支援装置であって、前記締結フィーチャ表示手段は、前記シンボルを接続する線分を表示させることを特徴とする。
【００１１】
また、第四の発明に係る設計支援方法は、ＣＡＤデータにおける被締結部品と締結部品との間の締結関係に関する情報を表示する設計支援方法であって、被締結部品を選択する被締結部品選択ステップと、前記被締結部品選択ステップで選択された被締結部品を締結する締結部品を選択する締結部品選択ステップと、前記被締結部品選択ステップで選択された被締結部品と前記締結部品選択ステップで選択された締結部品との間の締結関係を定義する締結フィーチャを設定する締結フィーチャ設定ステップと、前記締結フィーチャ設定手段で設定された締結フィーチャを前記ＣＡＤデータと対比可能に表示させる締結フィーチャ表示ステップと、を備えることを特徴とする。
【００１２】
また、第五の発明は、第四の発明に係る設計支援方法をコンピュータに実現させるためのプログラムである。
【００１３】
ここで、「フィーチャ」とは、ＣＡＤで用いられる特定の構造や形状に関するプロパティをグループ化して保持する情報の集合であり、例えば、穴フィーチャ、面取りフィーチャ、フィレットフィーチャ、押し出しフィーチャ等がある。
【００１４】
また、「締結フィーチャ」とは、締結部品と被締結部品との間の締結関係を表すフィーチャであり、締結部分を特定するための締結識別番号、締結部品と被締結部品との間の締結位置を表すＣＡＤデータ上の座標、締結部品情報、被締結部品を識別するための被締結部品識別番号等のプロパティを保持する。
【００１５】
また、「締結部品情報」とは、締結部品を特定するための各種情報であり、例えば、締結部品がボルトである場合、そのボルトの直径、長さ等である。なお、締結部品には、ボルトの他、ネジ、リベット等がある。
【発明の効果】
【００１６】
上述の手段により、本発明は、ＣＡＤデータにおける被締結部品と締結部品との間の締結関係に関する情報を、ＣＡＥにおける解析モデルを作成するために参照できるように設定しながら、その締結関係に関する情報をＣＡＤデータと対比可能に表示させる設計支援装置及び設計支援方法、並びにその設計支援方法を実現させるためのプログラムを提供することができる。
【発明を実施するための最良の形態】
【００１７】
以下、図面を参照しつつ、本発明を実施するための最良の形態の説明を行う。
【実施例】
【００１８】
図１は、本発明に係る設計支援装置の構成例を示す図であり、設計支援装置１００は、ＣＡＤやＣＡＥの各種ソフトウェアを統合する設計支援プログラムを実行する装置であって、制御装置１、入力装置２、記憶装置３及び表示装置４を有する。
【００１９】
制御装置１は、ＣＰＵ（Central  Processing  Unit）、ＲＡＭ(Random  Access  Memory)、ＲＯＭ（Read  Only  Memory）等を備えたコンピュータであって、例えば、被締結部品選択手段１０、締結部品選択手段１１、締結フィーチャ設定手段１２及び締結フィーチャ表示手段１３のそれぞれに対応するプログラムをＲＯＭに記憶しながら、各手段に対応する処理をＣＰＵに実行させる。
【００２０】
入力装置２は、ユーザ入力を制御装置１に出力するための装置であり、例えば、キーボード、マウス、スタイラスペン、デジタイザ等の装置である。
【００２１】
制御装置１は、例えば、入力装置２を介して、ＣＡＤデータ上でユーザがマウス操作により選択した部品の識別番号を取得する。
【００２２】
また、制御装置１は、入力装置２を介して、表示装置４に表示させた各種入力フォームに対してユーザがマウス操作又はキーボード操作により入力した値を取得する。
【００２３】
記憶装置３は、制御装置１が参照する各種データを保持し、或いは、制御装置１が出力する各種データを記憶するための装置であり、例えば、ＣＡＤデータを制御装置１が参照できるようそれらＣＡＤデータを記憶し、また、制御装置１が設定する締結フィーチャを記憶するための締結フィーチャデータベース３０（以下、「締結フィーチャＤＢ３０」とする。）を記憶する。
【００２４】
表示装置４は、各種情報を出力するための装置であり、例えば、ＣＲＴや液晶ディスプレイである。
【００２５】
図２は、締結フィーチャＤＢ３０の構成例を示す図であり、締結フィーチャＤＢ３０は、例えば、ＣＡＤデータに存在する締結部を特定するための識別子（例えば、シリアル番号である。）が格納される「締結ＩＤ」欄、締結部品に関する情報（例えば、その締結部品の種類、直径、寸法等である。）又はその情報へのポインタが格納される「締結部品情報」欄、被締結部品を特定するための識別番号（例えば、ＣＡＤデータが部品毎に保持する部品ＩＤである。）が格納される「被締結部品ＩＤ」欄、及び、被締結部品に設定された穴フィーチャ（穴を表すモデルであり、穴が穿たれる部品の部品ＩＤ、穴径等のプロパティを有する。）であって、その締結部品が挿入される穴フィーチャの中心点の座標値が格納される「締結位置座標」欄を有する。
【００２６】
なお、「被締結部品ＩＤ」欄及び「締結位置座標」欄は、それぞれ対になっており、被締結部品の数だけ複数対存在するものとし、「締結位置座標」欄の値は、ＣＡＤデータにおける穴フィーチャが有する幾何学的情報（例えば、穴フィーチャを描画するために用いた座標値等である。）に基づいて算出されるものであってもよい。
【００２７】
例えば、図２の例では、「締結ＩＤ」が「００１」で表される締結関係は、直径５ｍｍ、長さ２０ｍｍのボルトの締結部品と、「被締結部品ＩＤ」が「０００１」、「０００２」及び「０００３」で特定される三つの被締結部品とがそれぞれ（ｘ１、ｙ１、ｚ１）、（ｘ２、ｙ２、ｚ２）、（ｘ３、ｙ３、ｚ３）で表される締結点で締結されることを示す。
【００２８】
次に、図１〜図３を参照しながら、制御装置１が有する各種手段について説明する。
【００２９】
図３は、締結フィーチャに関する情報をユーザに入力させるための締結フィーチャ入力ウィンドウの表示例を示す図であり、締結フィーチャ入力ウィンドウ４０は、穴フィーチャ選択フォーム４１、締結部品種類選択プルダウンバー４２及び設定ボタン４３を有する。
【００３０】
制御装置１は、例えば、ＣＡＤソフトウェアのメニューバーに用意された［締結フィーチャ入力］メニューがユーザのマウス操作によって選択されると、ＣＡＤデータが表示されている画面上に締結フィーチャ入力ウィンドウ４０をポップアップ表示させる。
【００３１】
被締結部品選択手段１０は、被締結部品を選択するための手段であり、例えば、制御装置１がポップアップ表示させた締結フィーチャ入力ウィンドウ４０の穴フィーチャ入力フォーム４１に入力された穴フィーチャで設定される部品（穴が穿たれた部品であり、以下、「穴関連部品」とする。）を被締結部品として選択する。
【００３２】
ユーザは、穴フィーチャ選択フォーム４１をマウス操作等によりアクティブにした後、ＣＡＤデータ上の穴フィーチャ（実際の穴の線図）をマウス操作により選択する。各穴フィーチャは、識別番号で管理されており、穴フィーチャ選択フォーム４１には、選択された穴フィーチャに対応する識別番号が入力される。
【００３３】
被締結部品選択手段１０は、選択された穴フィーチャが有する穴関連部品の部品ＩＤを抽出し、その部品ＩＤを被締結部品の部品ＩＤとして選択する。
【００３４】
被締結部品選択手段１０は、このようにして選択した被締結部品の部品ＩＤを所定のタイミングで後述の締結フィーチャ設定手段１２に出力することとなる。
【００３５】
締結部品選択手段１１は、締結部品を選択するための手段であり、例えば、制御装置１が表示装置４にポップアップ表示させた締結フィーチャ入力ウィンドウ４０の締結部品種類選択プルダウンバー４２に表示される部品を締結部品として選択する。
【００３６】
ユーザは、締結部品種類選択プルダウンバー４２のプルダウンボタンをマウス操作等により押下した後、リスト表示される締結部品の種類の中から所望の締結部品をマウス操作により選択する。
【００３７】
締結部品選択手段１１は、締結部品種類選択プルダウンバー４２で現在選択されている締結部品に関する情報が格納されたアドレスの値を締結部品として選択する。
【００３８】
締結部品選択手段１１は、このようにして選択したアドレスの値を所定のタイミングで後述の締結フィーチャ設定手段１２に出力することとなる。
【００３９】
締結フィーチャ設定手段１２は、締結フィーチャを設定するための手段であり、例えば、被締結部品選択手段１０が選択した被締結部品の部品ＩＤを締結フィーチャＤＢ３０の「被締結部品ＩＤ」欄に記憶し、その被締結部品ＩＤの特定に用いた穴フィーチャの中心点の座標値を対応する「締結位置座標」欄に記憶する。
【００４０】
また、締結フィーチャ設定手段１２は、締結部品選択手段１１が選択した締結部品（アドレス値）を締結フィーチャＤＢ３０の「締結部品情報」欄に記憶する。
【００４１】
ユーザは、締結フィーチャ入力ウィンドウ４０の穴フィーチャ選択フォーム４１に所望の部品ＩＤを複数個入力し、かつ、締結部品種類選択プルダウンバー４２で所望の締結部品を選択した状態で、設定ボタン４３を押下する。
【００４２】
締結フィーチャ設定手段１２は、設定ボタン４３が押下された時点で、締結フィーチャＤＢ３０の「被締結部品ＩＤ」欄、「締結位置座標」欄及び「締結部品情報」欄に対応する値をそれぞれ記憶する。
【００４３】
締結フィーチャ表示手段１３は、締結フィーチャ設定手段１２が設定した締結フィーチャを表示させるための手段であり、例えば、ＣＡＤデータに重畳させて締結フィーチャを表示させる。
【００４４】
ここで、図４〜図８を参照しながら、締結フィーチャ表示手段１３による締結フィーチャの表示について説明する。
【００４５】
図４（Ａ）は、部品Ｅ１に設けられた作業穴Ｗ内にボルトＢ１を挿入しながら、ボルトＢ１で部品Ｅ２及び部品Ｅ３を締結した組み立て体のＣＡＤデータであり、図４（Ｂ）は、図４（Ａ）に示す組み立て体のＣＡＤデータに締結フィーチャを重畳表示させたものである。なお、部品Ｅ１は、ボルトＢ１によって締結されていない。
【００４６】
図４（Ｂ）において、二つのシンボルＭ１はそれぞれ、締結部品Ｂ１と被締結部品Ｅ２との間の締結位置、及び、締結部品Ｂ１と被締結部品Ｅ３との間の締結位置を表し、二つのシンボルＭ１を結ぶ線分であるシンボルＭ２は、締結部品Ｂ１を表す。また、シンボルＭ１の形状は、締結部品の種類を示し、この場合、六角ボルトであることを示す。
【００４７】
二つのシンボルＭ１は、例えば、締結フィーチャ入力ウィンドウ４０でユーザが選択した穴フィーチャの中心点（以下、「構成節点」とする。）の位置に描画され、二つのシンボルＭ１を結ぶ線分であるシンボルＭ２は、それら構成節点を結ぶように描画される。
【００４８】
また、図５（Ａ）は、ボルトＢ２で部品Ｅ１、部品Ｅ２及び部品Ｅ３を締結した組み立て体のＣＡＤデータであり、図５（Ｂ）は、図５（Ａ）に示す組み立て体のＣＡＤデータに締結フィーチャを重畳表示させたものである。
【００４９】
図５（Ｂ）において、三つのシンボルＭ１はそれぞれ、締結部品Ｂ１と被締結部品Ｅ１との間の締結位置、締結部品Ｂ１と被締結部品Ｅ２との間の締結位置、及び、締結部品Ｂ１と被締結部品Ｅ３との間の締結位置を表し、三つのシンボルＭ１を結ぶ線分であるシンボルＭ３は、締結部品Ｂ２を表す。
【００５０】
図６（Ａ）は、図４（Ａ）におけるＶＩ−ＶＩ線断面図であり、図６（Ｂ）は、図６（Ａ）に示す組み立て体のＣＡＤデータに締結フィーチャを重畳表示させたものである。
【００５１】
また、図６（Ｃ）は、締結フィーチャの別の表示例であり、図６（Ａ）に示す組み立て体のＣＡＤデータを簡易表示（例えば、板材を中立面で表現したものである。）させた上に締結フィーチャを重畳表示させたものである。
【００５２】
図６（Ｂ）及び図６（Ｃ）において、二つのシンボルＭ１はそれぞれ、締結部品Ｂ１と被締結部品Ｅ２との間の締結位置、及び、締結部品Ｂ１と被締結部品Ｅ３との間の締結位置を表し、二つのシンボルＭ１を結ぶ線分であるシンボルＭ２は、締結部品Ｂ１を表す。
【００５３】
同様に、図７（Ａ）は、図５（Ａ）におけるＶＩＩ−ＶＩＩ線断面図であり、図７（Ｂ）は、図７（Ａ）に示す組み立て体のＣＡＤデータに締結フィーチャを重畳表示させたものであり、図７（Ｃ）は、図７（Ａ）に示す組み立て体のＣＡＤデータを簡易表示させた上に締結フィーチャを重畳表示させたものである。
【００５４】
図７（Ｂ）及び図７（Ｃ）において、三つのシンボルＭ１はそれぞれ、締結部品Ｂ１と被締結部品Ｅ１との間の締結位置、締結部品Ｂ１と被締結部品Ｅ２との間の締結位置、及び、締結部品Ｂ１と被締結部品Ｅ３との間の締結位置を表し、三つのシンボルＭ１を結ぶ線分であるシンボルＭ３は、締結部品Ｂ２を表す。
【００５５】
なお、図４（Ｂ）、図５（Ｂ）、図６（Ｂ）、図６（Ｃ）、図７（Ｂ）及び図７（Ｃ）においてボルトＢ１、Ｂ２の実形状は、その表示が省略されている。制御装置１における表示処理に対する負荷を低減させるためであり、締結フィーチャを見易くするためである。これにより、設計支援装置１００は、大規模なＣＡＤデータに対しても迅速にかつ見易く締結フィーチャを表示させることができる。
【００５６】
このように、締結フィーチャ表示手段１３は、作業穴Ｗ内に挿入され、二つの被締結部品を締結する締結部品Ｂ１による締結関係と三つの被締結部品を締結する締結部品Ｂ２による締結関係とを簡易かつ識別可能に表現することができる。
【００５７】
また、締結フィーチャ表示手段１３は、締結部品と被締結部品との間の締結関係をＣＡＤデータと対比できる形で視覚的に分かり易く表示するので、別のプロパティウィンドウを開いて締結フィーチャＤＢ３０の内容を表形式で表示させる必要もなく、ＣＡＤデータを見ながらのユーザによる締結関係の整合性チェックを効率化させることができ、また、ＣＡＥで使用される解析モデルを作成する上でのモデルミスを防止することができる。
【００５８】
次に、図８を参照しながら、非接触で配置された部品Ｅ４及びＥ５を長尺ボルトＢ３によって締結する締結部分を含む組み立て体における締結フィーチャの表示について説明する。
【００５９】
図８（Ａ）は、その組み立て体のＣＡＤデータであり、図８（Ｂ）は、その組み立て体のＣＡＤデータに締結フィーチャを重畳表示させた図であり、図８（Ｃ）は、その組み立て体のＣＡＤデータを簡易表示させた上に締結フィーチャを重畳表示させた図である。
【００６０】
図８（Ｂ）及び図８（Ｃ）において、二つのシンボルＭ１はそれぞれ、締結部品Ｂ３と被締結部品Ｅ４との間の締結位置、及び、締結部品Ｂ３と被締結部品Ｅ４との間の締結位置を表し、二つのシンボルＭ１を結ぶ線分であるシンボルＭ４は、締結部品Ｂ３を表す。
【００６１】
なお、図８（Ｃ）において、シンボルＭ１の形状は、六角形の代わりに円形を採用している。これは、より簡易な形状を用いることにより、締結フィーチャの表示を更に高速化させるためである。
【００６２】
このように、締結フィーチャ表示手段１３は、上述の効果に加え、非接触である締結部品と被締結部品との間の締結関係をもＣＡＤデータと対比できる形で視覚的に分かり易く表示することができる。
【００６３】
次に、図９を参照しながら、設計支援装置１００がＣＡＤデータ上で締結フィーチャを設定、表示させる処理（以下、「設計支援処理」とする。）について説明する。なお、図９は、設計支援処理の流れを示すフローチャートであり、設計支援装置１００は、ＣＡＤソフトウェア上のメニューバーやツールバー等にある締結フィーチャ表示コマンドが呼び出された場合にこの設計支援処理を実行するものとする。
【００６４】
最初に、制御装置１は、締結フィーチャ入力ウィンドウ４０（図３参照。）をＣＡＤデータ上にポップアップ表示させ、穴フィーチャ選択フォーム４１及び締結部品種類選択プルダウンバー４２を介して、ユーザにＣＡＤデータ上の穴フィーチャを選択させ、かつ、既登録の締結部品から所望の締結部品を選択させるようにする。
【００６５】
締結フィーチャ入力ウィンドウ４０上の設定ボタン４３が押下され、ユーザによる入力が完了したものと判断されると、被締結部品選択手段１０は、穴フィーチャ選択フォーム４１に入力された複数の穴フィーチャの部品ＩＤからそれぞれの穴フィーチャにおける穴関連部品の部品ＩＤを抽出し、抽出した部品ＩＤを被締結部品の部品ＩＤとして選択する（ステップＳ１：被締結部品選択ステップ）。
【００６６】
同様に、締結部品選択手段１１は、締結部品種類選択プルダウンバー４２で選択されている既登録の締結部品に関する情報が格納されたアドレス値を、被締結部品選択手段１０が選択した被締結部品を締結するための締結部品として選択する（ステップＳ２：締結部品選択ステップ）。
【００６７】
このとき、締結フィーチャ設定手段１２は、締結フィーチャＤＢ３０（図２参照。）上に新しいレコードを追加し、そのレコードの「被締結部品ＩＤ」欄に選択した被締結部品の部品ＩＤを記憶し、対応する「締結位置座標」欄に対応する穴フィーチャの構成節点の座標を記憶し、かつ、「締結部品情報」欄に締結部品として選択されたアドレス値を記憶して、締結フィーチャを設定する（ステップＳ３：締結フィーチャ設定ステップ）。
【００６８】
その後、締結フィーチャ表示手段１３は、ＣＡＤデータを表示させながら、締結フィーチャＤＢ３０に記憶された情報に基づいて、各レコードに含まれる全ての「締結位置座標」欄における構成節点の座標上にシンボルＭ１を描画し、それら全てのシンボルＭ１を結ぶ線分Ｍ２を描画する（ステップＳ４：締結フィーチャ表示ステップ）。
【００６９】
また、締結フィーチャ表示手段１３は、「締結部品情報」欄におけるアドレス値に基づいて締結部品の種類を特定し、特定した締結部品に応じてシンボルＭ１の形状を決定するようにしてもよい。
【００７０】
なお、この設計支援処理は、プログラムによって実現され、そのプログラムは、ＣＡＤソフトウェア又はＣＡＥソフトウェアに統合されていてもよく、独立して存在するようにしてもよい。
【００７１】
また、そのプログラムは、配布目的のためにＣＤ−ＲＯＭ、ＤＶＤ−ＲＯＭ等のコンピュータ読み取り可能な記憶媒体に格納されてもよく、インターネット等の電気通信回線を介してダウンロードできるようにサーバのハードディスク等に格納されていてもよい。
【００７２】
以上、本発明の好ましい実施例について詳説したが、本発明は、上述した実施例に制限されることはなく、本発明の範囲を逸脱することなしに上述した実施例に種々の変形及び置換を加えることができる。
【００７３】
例えば、上述の実施例では、設計支援装置１００は、締結フィーチャ入力ウィンドウ４０を介してユーザに穴フィーチャを選択させることで被締結部品を選択するが、ＣＡＤデータに基づいて穴フィーチャを自動的に抽出し、被締結部品及び締結部品を自動的に選択しながら、締結フィーチャを自動的に設定、表示させるようにしてもよい。
【００７４】
この場合、締結部品は、穴フィーチャの穴径に応じて自動的に選択され、ユーザは、表示された締結フィーチャを視認しながら締結フィーチャに修正を加えるようにしてもよい。
【図面の簡単な説明】
【００７５】
【図１】本発明に係る設計支援装置の構成例を示す図である。
【図２】締結フィーチャデータベースの構成例を示す図である。
【図３】締結フィーチャ入力ウィンドウの表示例を示す図である。
【図４】締結フィーチャの表示例を示す図（その１）である。
【図５】締結フィーチャの表示例を示す図（その２）である。
【図６】締結フィーチャの表示例を示す図（その３）である。
【図７】締結フィーチャの表示例を示す図（その４）である。
【図８】締結フィーチャの表示例を示す図（その５）である。
【図９】設計支援処理の流れを示すフローチャートである。
【符号の説明】
【００７６】
１      制御装置
２      入力装置
３      記憶装置
４      表示装置
１０    被締結部品選択手段
１１    締結部品選択手段
１２    締結フィーチャ設定手段
１３    締結フィーチャ表示手段
３０    締結フィーチャデータベース
４０    締結フィーチャ入力ウィンドウ
４１    穴フィーチャ選択フォーム
４２    締結部品種類選択プルダウンバー
４３    設定ボタン
１００  設計支援装置
【図１】
2009157616.tif 000003
【図２】
2009157616.tif 000004
【図３】
2009157616.tif 000005
【図４】
2009157616.tif 000006
【図５】
2009157616.tif 000007
【図６】
2009157616.tif 000008
【図７】
2009157616.tif 000009
【図８】
2009157616.tif 000010
【図９】
2009157616.tif 000011